(57)【要約】【課題】ライブビュー時の照明の消費電力を抑えつつ、照明を照射した際のライブビュー時に観察される色と、照明光を照射して撮影された画像の色とが一致するカメラシステム及びその画像生成方法を提供することである。【解決手段】照明ユニット１００は、照明制御回路１１１によって、補助光を、低輝度、長時間に適した第１の点灯状態と、高輝度、短時間に適し、第１の点灯状態とは色成分が異なる第２の点灯状態に切り替える。カメラシステム１は、ボディ用制御回路３１により、ライブビューモード時には第１の点灯状態で、撮影画像取得時には第２の点灯状態で、補助光を点灯する。画像処理回路３４は、第１の点灯状態で照明したライブビューモード時の表示画像の色を、メモリ１２５に記憶されたデータに基いて、上記第２の点灯状態で補助光を照明した撮影画像の色と略同等になるよう補正する。【選択図】      図３
2009284079.tif 000002
【特許請求の範囲】
【請求項１】
相互に連動可能な、被写体像を連続的に撮像して表示するライブビューモードを有するカメラと、被写体に対して補助光を照明する照明装置と、を有するカメラシステムであって、
上記照明装置は、上記補助光を、低輝度、長時間に適した第１の点灯状態と、該第１の点灯状態に比べて高輝度、短時間に適したもので上記第１の点灯状態とは色成分が異なる第２の点灯状態と、に切り替えて点灯させる照明制御手段を備え、
上記カメラ及び上記照明装置の少なくとも一方には、上記第１の点灯状態及び第２の点灯状態それぞれの照明色成分を記憶した記憶手段を備え、
上記カメラは、
上記ライブビューモード時には上記第１の点灯状態で、撮影画像取得時には上記第２の点灯状態で、上記補助光を点灯するように制御する制御手段と、
上記第１の点灯状態で照明したライブビューモード時の表示画像の色を、上記記憶手段に記憶されたデータに基づいて、上記第２の点灯状態で上記補助光を照明した撮影画像の色と略同等になるよう補正する撮影画像補正手段と、
を備える
ことを特微とするカメラシステム。
【請求項２】
上記照明装置は、更に、上記ライブビューモード時の画像の取り込みタイミングに同期して複数フレームに１回の割合で上記補助光を照明し、
上記カメラは、
上記照明装置に対してライブビュー中の点灯状態を指示する点灯指示手段と、
上記補助光の点灯ありで取得したライブビューモードの表示画像と、補助光の点灯無しで取得したライブビューモードの表示画像と、上記記憶手段の出力に基いて撮影時に生成されると予測される画像をライブビュー画像として表示するライブビュー表示画像生成手段と、
を更に具備する
ことを特徴とする請求項１に記載のカメラシステム。
【請求項３】
上記カメラは、上記補助光の照明ありのフレーム画像と、照明無しのフレーム画像とから照明による画像成分を抽出し、これを上記記憶手段の出力に基いて撮影時の照明画像を予測画像として予測し、且つ、上記照明無しの画像に上記予測画像を重ねて撮影時の画像を予測し表示することを特徴とする請求項２に記載のカメラシステム。
【請求項４】
撮影レンズと、
上記撮影レンズを通過した被写体の像を撮像する撮像素子と、
上記撮像素子の出力に基づいて被写体像を表示する表示手段と、
上記被写体に対して補助光を照明する照明装置と、
上記補助光を、低輝度、長時間に適した第１の点灯状態と、該第１の点灯状態に比べて高輝度、短時間に適したもので上記第１の点灯状態とは色成分が異なる第２の点灯状態と、に切り替えて点灯させる照明制御手段と、
上記第１の点灯状態及び第２の点灯状態それぞれの照明色成分を記憶した記憶手段と、
被写体像を連続的に撮像して表示するライブビューモード時には上記第１の点灯状態で、撮影画像取得時には上記第２の点灯状態で、上記補助光を点灯するように制御する制御手段と、
上記第１の点灯状態で照明したライブビューモード時の表示画像の色を、上記記憶手段に記憶されたデータに基づいて、上記第２の点灯状態で上記補助光を照明した撮影画像の色と略同等になるよう補正する撮影画像補正手段と、
を具備することを特微とするカメラシステム。
【請求項５】
上記照明装置は、上記ライブビューモード時の画像の取り込みタイミングに同期して複数フレームに１回の割合で上記補助光を照明し、
更に、
上記照明装置に対してライブビュー中の点灯状態を指示する点灯指示手段と、
上記補助光の点灯ありで取得したライブビューモードの表示画像と、補助光の点灯無しで取得したライブビューモードの表示画像と、上記記憶手段の出力に基いて撮影時に生成されると予測される画像をライブビュー画像として表示するライブビュー表示画像生成手段と、
を具備する
ことを特徴とする請求項４に記載のカメラシステム。
【請求項６】
上記補助光の照明ありのフレーム画像と、照明無しのフレーム画像とから照明による画像成分を抽出し、これを上記記憶手段の出力に基いて撮影時の照明画像を予測画像として予測し、且つ、上記照明無しの画像に上記予測画像を重ねて撮影時の画像を予測し表示する予測表示手段を更に具備することを特徴とする請求項５に記載のカメラシステム。
【請求項７】
相互に連動可能な、被写体像を連続的に撮像して表示するライブビューモードを有するカメラと、被写体に対して補助光を照明する照明装置と、を有するカメラシステムの画像生成方法であって、
上記補助光を、低輝度、長時間に適した第１の点灯状態の照明色成分と、該第１の点灯状態に比べて高輝度・短時間に適したもので上記第１の点灯状態とは色成分が異なる第２の点灯状態の照明色成分を記憶するステップと、
被写体像を連続的に撮像して表示するライブビューモード時には、低輝度・長時間に適した第１の点灯状態で上記補助光を照明するステップと、
撮影画像取得時に、上記第１の点灯状態に比べて高輝度、短時間に適したもので上記第１の点灯状態とは色成分が異なる第２の点灯状態で上記補助光を照明するステップと、
上記第１の点灯状態で照明したライブビューモード時の表示画像の色を、上記記憶された照明色成分に基づいて、上記第２の点灯状態で上記補助光を照明した撮影画像の色と略同等になるよう補正するステップと、
を具備することを特微とするカメラシステムの画像生成方法。
【発明の詳細な説明】
【技術分野】
【０００１】
本発明は、電子的に被写界を生成し、それを観察可能なライブビュー機能を備えたカメラと、ライブビュー時及び撮影時に被写体を照射可能な照明装置を有するカメラシステム及びその画像生成方法に関するものである。
【背景技術】
【０００２】
撮像装置の補助照明で、撮影前の被写体観察時にも照明をする技術が知られている。
【０００３】
しかし、被写体観察時の照明は電カ消費が大きくなるため、その電力を節約する技術が必須である。そして、被写体観察時の電力を節約する技術としては、下記特許文献１に記載の技術が公知である。この特許文献１に記載の方法では、デューティ（ＤＵＴＹ）駆動により照明用の発光ダイオード（ＬＥＤ）を駆動し、被写体観察時はこのデューティ比を低くすることによって電力を節約するようにしている。
【特許文献１】特開２００６−１４５８７７号公報
【発明の開示】
【発明が解決しようとする課題】
【０００４】
ところで、近年、発光ダイオード（ＬＥＤ）の性能が向上し、撮像装置の照明または補助照明として用いられるようになっている。デジタルスチルカメラの場合、色を忠実に再現する必要があるため、白色光を発することが可能なＬＥＤを用いる必要がある。白色ＬＥＤを生成するには、青色ＬＥＤを用いて反射部に蛍光体を塗布し、青色ＬＥＤの色を赤色側にシフトさせて白色を生成する（ＴＹＰＥ１）方法や、青、緑、赤の３色等の複数の色成分の異なるＬＥＤを用いて生成する（ＴＹＰＥ２）方法がある。
【０００５】
これらの発光ダイオードは、通電電流によって光量を変化させることが可能であるが、光量を変化させた場合に色ずれが生じる場合がある。上述したＴＹＰＥ１の方法の場合は、青色ＬＥＤの発光波長分布がずれる場合があり、一方、ＴＹＰＥ２の方法では３色ともにずれる。また、ＴＹＰＥ２の方法の場合は、ＬＥＤによって電流と発光量の比例関係がくずれるポイントが異なっているため、電流比率を一定にしていても光量を大きくするため大電流を通電する場合は色ずれが大きくなる。
【０００６】
ライブビュー作動時は、長時間の点灯となるので駆動電流を低く抑える必要があり、また撮影時は画質を良好に保つ観点からできる限り大きな光量が必要である。これをＬＥＤで実現しようとすると、ライブビュー時と撮影時の色ずれが大きくなる。上記特許文献１では、光量を大きくすることが困難で、ライブビュー時の電力節約と撮影時の照射光量を両立すること困難である。
【０００７】
一方、ライブビュー時はＬＥＤ等を用い、撮影時はキセノン管等の閃光発光素子を用いることも考えられるが、この場合もＬＥＤと閃光発光素子の色は同一ではなく、色ずれは生じる。
【０００８】
また、定常光が多い場面での問題として、ライブビューで実際撮影するときと観察するときとで異なる光量で照射する場合は、ライブビューで見える定常光と照射光の割合が撮影時と比べて異なる。この場合、照射光の色だけでなく、定常光との光量割合を考慮しなければ、最終的に撮影される色をライブビューで再現することが困難である。
【０００９】
したがって本発明は上記実情に鑑みてなされたものであり、ライブビュー時の照明の消費電力を抑えつつ、照明を照射した際のライブビュー時に観察される色と、照明光を照射して撮影された画像の色とが一致するカメラシステム及びその画像生成方法を提供することを目的とする。
【００１０】
また本発明は、定常光と照射光の比率が撮影時と異なるライブビュー中であっても、撮影時の画像と同等の画像を予測してリアルタイムで表示することのできるカメラシステム及びその画像生成方法を提供することを目的とする。
【課題を解決するための手段】
【００１１】
すなわち請求項１に記載の発明は、相互に連動可能な、被写体像を連続的に撮像して表示するライブビューモードを有するカメラと、被写体に対して補助光を照明する照明装置と、を有するカメラシステムであって、上記照明装置は、上記補助光を、低輝度、長時間に適した第１の点灯状態と、該第１の点灯状態に比べて高輝度、短時間に適したもので上記第１の点灯状態とは色成分が異なる第２の点灯状態と、に切り替えて点灯させる照明制御手段を備え、上記カメラ及び上記照明装置の少なくとも一方には、上記第１の点灯状態及び第２の点灯状態それぞれの照明色成分を記憶した記憶手段を備え、上記カメラは、上記ライブビューモード時には上記第１の点灯状態で、撮影画像取得時には上記第２の点灯状態で、上記補助光を点灯するように制御する制御手段と、上記第１の点灯状態で照明したライブビューモード時の表示画像の色を、上記記憶手段に記憶されたデータに基づいて、上記第２の点灯状態で上記補助光を照明した撮影画像の色と略同等になるよう補正する撮影画像補正手段と、を備えることを特微とする。
【００１２】
請求項１に記載の発明によれば、ライブビュー時と撮影時に異なる点灯状態で照射してもライブビュー画像と撮影画像とで照明光による色の差異がなく、リアルタイムで正しい撮影時の色が事前に観察できる。
【００１３】
請求項２に記載の発明は、請求項１に記載の発明に於いて、上記照明装置は、更に、上記ライブビューモード時の画像の取り込みタイミングに同期して複数フレームに１回の割合で上記補助光を照明し、上記カメラは、上記照明装置に対してライブビュー中の点灯状態を指示する点灯指示手段と、上記補助光の点灯ありで取得したライブビューモードの表示画像と、補助光の点灯無しで取得したライブビューモードの表示画像と、上記記憶手段の出力に基いて撮影時に生成されると予測される画像をライブビュー画像として表示するライブビュー表示画像生成手段と、を更に具備することを特徴とする。
【００１４】
請求項２に記載の発明によれば、補助光を照明して撮影する場合に於いて、定常光があってもライブビュー時の表示画像を撮影画像とほぼ同等に表示することができる。
【００１５】
請求項３に記載の発明は、請求項２に記載の発明に於いて、上記カメラは、上記補助光の照明ありのフレーム画像と、照明無しのフレーム画像とから照明による画像成分を抽出し、これを上記記憶手段の出力に基いて撮影時の照明画像を予測画像として予測し、且つ、上記照明無しの画像に上記予測画像を重ねて撮影時の画像を予測し表示することを特徴とする。
【００１６】
請求項３に記載の発明によれば、補助光を照明して撮影する場合に於いて、定常光があっても、より正確、且つリアルタイムで、ライブビュー時の表示画像を撮影画像とほぼ同等に表示することができる。
【００１７】
請求項４に記載の発明は、撮影レンズと、上記撮影レンズを通過した被写体の像を撮像する撮像素子と、上記撮像素子の出力に基づいて被写体像を表示する表示手段と、上記被写体に対して補助光を照明する照明装置と、上記補助光を、低輝度、長時間に適した第１の点灯状態と、該第１の点灯状態に比べて高輝度、短時間に適したもので上記第１の点灯状態とは色成分が異なる第２の点灯状態と、に切り替えて点灯させる照明制御手段と、上記第１の点灯状態及び第２の点灯状態それぞれの照明色成分を記憶した記憶手段と、被写体像を連続的に撮像して表示するライブビューモード時には上記第１の点灯状態で、撮影画像取得時には上記第２の点灯状態で、上記補助光を点灯するように制御する制御手段と、上記第１の点灯状態で照明したライブビューモード時の表示画像の色を、上記記憶手段に記憶されたデータに基づいて、上記第２の点灯状態で上記補助光を照明した撮影画像の色と略同等になるよう補正する撮影画像補正手段と、を具備することを特微とする。
【００１８】
請求項４に記載の発明によれば、ライブビュー時と撮影時に異なる点灯状態で照射してもライブビュー画像と撮影画像とで照明光による色の差異がなく、リアルタイムで正しい撮影時の色が事前に観察できる。
【００１９】
請求項５に記載の発明は、請求項４に記載の発明に於いて、上記照明装置は、上記ライブビューモード時の画像の取り込みタイミングに同期して複数フレームに１回の割合で上記補助光を照明し、更に、上記照明装置に対してライブビュー中の点灯状態を指示する点灯指示手段と、上記補助光の点灯ありで取得したライブビューモードの表示画像と、補助光の点灯無しで取得したライブビューモードの表示画像と、上記記憶手段の出力に基いて撮影時に生成されると予測される画像をライブビュー画像として表示するライブビュー表示画像生成手段と、を具備することを特徴とする。
【００２０】
請求項５に記載の発明によれば、補助光を照明して撮影する場合に於いて、定常光があってもライブビュー時の表示画像を撮影画像とほぼ同等に表示することができる。
【００２１】
請求項６に記載の発明は、請求項５に記載の発明に於いて、上記補助光の照明ありのフレーム画像と、照明無しのフレーム画像とから照明による画像成分を抽出し、これを上記記憶手段の出力に基いて撮影時の照明画像を予測画像として予測し、且つ、上記照明無しの画像に上記予測画像を重ねて撮影時の画像を予測し表示する予測表示手段を更に具備することを特徴とする。
【００２２】
請求項６に記載の発明によれば、補助光を照明して撮影する場合に於いて、定常光があっても、より正確、且つリアルタイムで、ライブビュー時の表示画像を撮影画像とほぼ同等に表示することができる。
【００２３】
請求項７に記載の発明は、相互に連動可能な、被写体像を連続的に撮像して表示するライブビューモードを有するカメラと、被写体に対して補助光を照明する照明装置と、を有するカメラシステムの画像生成方法であって、上記補助光を、低輝度、長時間に適した第１の点灯状態の照明色成分と、該第１の点灯状態に比べて高輝度・短時間に適したもので上記第１の点灯状態とは色成分が異なる第２の点灯状態の照明色成分を記憶するステップと、被写体像を連続的に撮像して表示するライブビューモード時には、低輝度・長時間に適した第１の点灯状態で上記補助光を照明するステップと、撮影画像取得時に、上記第１の点灯状態に比べて高輝度、短時間に適したもので上記第１の点灯状態とは色成分が異なる第２の点灯状態で上記補助光を照明するステップと、上記第１の点灯状態で照明したライブビューモード時の表示画像の色を、上記記憶された照明色成分に基づいて、上記第２の点灯状態で上記補助光を照明した撮影画像の色と略同等になるよう補正するステップと、を具備することを特微とする。
【００２４】
請求項７に記載の発明によれば、ライブビュー時と撮影時に異なる点灯状態で照射してもライブビュー画像と撮影画像とで照明光による色の差異がなく、リアルタイムで正しい撮影時の色が事前に観察できる。
【発明の効果】
【００２５】
本発明によれば、ライブビュー時の照明の消費電力を抑えつつ、照明を照射した際のライブビュー時に観察される色と、照明光を照射して撮影された画像の色とが一致するカメラシステム及びその画像生成方法を提供することができる。
【００２６】
また本発明によれば、定常光と照射光の比率が撮影時と異なるライブビュー中であっても、撮影時の画像と同等の画像を予測してリアルタイムで表示することのできるカメラシステム及びその画像生成方法を提供することができる。
【発明を実施するための最良の形態】
【００２７】
以下、図面を参照して本発明の実施形態について説明する。
【００２８】
（第１の実施形態）
図１は、本発明の第１の実施形態に係るカメラシステムの外観を示すもので、（ａ）はカメラ前面側から見た斜視図、（ｂ）は背面側から見た斜視図である。
【００２９】
本実施形態に於けるカメラシステム１は一眼レフレックスタイプのデジタルスチルカメラを有してなるものであり、カメラボディ１０と、このカメラボディ１０に着脱可能なレンズユニット８０で構成されている。また本実施形態では、照明装置としての照明ユニット１００が、カメラボディ１０の上部に着脱可能となっている。
【００３０】
カメラボディ１０には、その上面部に電源スイッチ１１とレリーズスイッチ１２とが設けられ、背面側にライブビュー切り替えスイッチ１３と、十字釦１４と、ＬＣＤパネル１５と、が設けられている。また、カメラボディ１０の背面側の上部には、接眼レンズ１７が設けられている。更に、この接眼レンズ１７の上方には、接点部としてのホットシュー１８が設けられている。
【００３１】
上記電源スイッチ１１は、本カメラシステム１に於けるカメラの電源をオン、オフするためのスイッチである。また、レリーズスイッチ１２は、撮影操作を開始するためのもので、第１レリーズスイッチと第２レリーズスイッチの２段式のスイッチで構成されている。第１レリーズスイッチがオンされて測光処理や測距処理等の撮影準備動作が実行され、第２レリーズスイッチがオンされて露光動作が実行される。
【００３２】
ライブビュー（ＬＶ）切り替えスイッチ１３は、後述するライブビュー時の被写界と光学ファインダ使用時の被写界を切り替えるためのスイッチであり、後述するボディ用制御回路３１と共に切り替え指示手段を構成している。十字釦１４は、図示されない決定スイッチと共に、このカメラの各種機能を操作するための選択スイッチである。また、ＬＣＤパネル１５は、ライブビュー時の観察画像や撮影後の撮像画像を表示するための表示手段である。
【００３３】
また、接眼レンズ１７は、レンズユニット８０内の撮影レンズ８１を通過した光を結像させる一眼レフ光学ファインダとして構成される。この光学ファインダの上部に設けられたホットシュー１８は、照明ユニット１００を着脱可能に取り付けるための電気的接点部である。
【００３４】
レンズユニット８０内には、図示されない被写体からの光束を取り込んで後述する撮像素子に導くための撮影レンズ８１が設けられている。
【００３５】
照明ユニット１００は、被写体観察時及び撮影時に被写体を照明するための照明装置である。
【００３６】
照明ユニット１００は、照明ヘッド１０５と、照明装置本体１０６とを有して構成される。
【００３７】
照明ヘッド１０５は、通常はカメラの撮影方向と同一であるが、上下左右に向きを変えることも可能に構成されている。そして、この照明ヘッド１０５は、例えば、キセノン管を用いた閃光発光部１０１と、青色発光ダイオード（ＬＥＤ）の発光光を蛍光体に反射させて白色光を生成する、連続照明手段としての１チップ型白色発光ダイオード（ＬＥＤ）１０２と、青、緑、赤の３原色を混色することによって白色光を生成する、連続照明手段としての３チップＬＥＤ１０３と、を備えている。
【００３８】
照明装置本体１０６には、図示されない制御回路等が内蔵されている。また、この照明装置本体１０６の下部には、当該照明ユニット１００をカメラボディ１０に取り付ける際に、カメラ側のホットシュー１８と係合可能な電気的接点部としてのシュー１０７が設けられている。このシュー１０７は底部に露出しており、カメラとの接続時にこれが接触して電気的な信号の授受が可能になる。
【００３９】
図２は、本第１の実施形態に於けるカメラシステムの光学系を示す概念図である。
【００４０】
図２に於いて、カメラボディ１０内で撮影レンズ８１の光軸上の後方には、図示矢印Ｍ方向に回動可能なクイックリターンミラー２１が、そしてこのクイックリターンミラー２１の後方には、例えばＣＣＤ等で構成される撮像素子２２が設けられている。クイックリターンミラー２１は、光学ファインダ使用時には図示実線で示されるように、撮影光路上に下がった位置になる。一方、撮影時及びライブビュー時は、図示二点鎖線で示されるように、撮影光路上より待避した位置に上昇される。
【００４１】
このように、撮影レンズ８１から得た被写体像を撮像素子２２で連続的に撮像し、ＬＣＤパネル１５にて表示するモードがライブビューモードであり、これら撮像素子２２、ＬＣＤパネル１５等で構成される機構を電子的ライブビュー表示機構とする。
【００４２】
クイックリターンミラー２１の上方には、ファインダスクリーン２３及びペンタプリズム２４が配置されている。ファインダスクリーン２３は、撮影レンズ８１を通過した光が結像する。ペンタプリズム２４は、クイックリターンミラー２１で反射された光線を上下左右反転させるためのものである。このペンタプリズム２４の近傍には、アイピース２５及び測光素子２７が配置されている。アイピース２５は、撮影レンズ８１を透過してファインダスクリーン２３上に結像された光を拡大して、観察者が被写体を見ることができるようにするものである。測光素子２７は、ファインダスクリーン２３の明るさを測るために設けられている。
【００４３】
このように、クイックリターンミラー２１、ファインダスクリーン２３、ペンタプリズム２４及びアイピース２５等で構成されたものが、光学的観察機構である。この光学的観察機構により被写体を観察するモードを光学ファインダモードとする。
【００４４】
上記のような構成のため、ライブビューでの被写界の観察と、光学ファインダによる被写界の観察は同時には行えず、何れかを選択することになる。また、光学ファインダ使用時は測光素子２７での測光は可能であるが、ライブビュー使用時は測光素子２７での測光は不能になる。そのため、ライブビュー使用時は、撮像素子２２によって測光を行う。
【００４５】
図３は、本第１の実施形態に於けるカメラシステムの電気回路の概略構成を示すブロック図である。
【００４６】
カメラボディ１０内には、各種演算制御を行うもので制御手段、点灯指示手段であるボディ用制御回路（以下、ＢＣＰＵと記す）３１が設けられており、カメラ内部の各部を制御すると共に、通信接点Ｊ１、Ｊ２を介してレンズユニット８０や照明ユニット１００を制御する。
【００４７】
上記ＢＣＰＵ３１には、測光素子３２と、ミラー駆動回路３３と、画像処理回路３４と、撮像素子ドライバ３７と、ＬＣＤドライバ３９と、各種スイッチ４２と、メモリ４３とが接続されている。
【００４８】
測光素子３２は図２の測光素子２７に相当する。ミラー駆動回路３３は、クイックリターンミラー２１を図２の矢印Ｍ方向に移動させるための駆動回路であり、電動制御によってミラーの上下動を行わせる。画像処理回路３４は、画像信号の圧縮や伸長、色の調整やノイズの低減、データ形式の変換等、各種の画像処理を実施するための撮影画像補正手段や、ライブビュー表示画像生成手段の機能を有する。また、記録媒体３５は、カメラ内の内蔵メモリや着脱式のメモリーカードで構成される。この記録媒体３５には、画像処理回路３４で処理された画像が書き込まれる。或いは、記録媒体３５に書き込まれた記録画像が、画像処理回路３４を介してＢＣＰＵ３１により読み出されて使用される。
【００４９】
撮像素子ドライバ３７は、撮像素子３８を駆動して撮影画像の取得、ライブビュー画像の取得等を行う。尚、撮像素子３８は、図２に示される撮像素子２２に相当するものである。上記ＬＣＤドライバ３９は、画像処理回路３４で表示用に生成された画像をＬＣＤパネル４０（図１（ｂ）のＬＣＤパネル１５に相当）に表示させる。
【００５０】
各種スイッチ４２は、図１（ａ）、（ｂ）に示される電源スイッチ１１、レリーズスイッチ１２、ライブビュー切り替えスイッチ１３、十字釦１４に対応するスイッチ等を有して構成される。メモリ４３は記憶手段であり、カメラボディ固有のデータ等が格納されている。これらのデータは、ＢＣＰＵ３１によって書き込み、読み出しが可能である。
【００５１】
レンズユニット８０内には、レンズ制御回路（以下、ＬＣＰＵと記す）９１が設けられている。このＬＣＰＵ９１は、レンズユニット８０内の各部の制御を行うと共に、カメラボディ１０内のＢＣＰＵ３１と、電気接点Ｊ１を経由してデータ通信を行う。このＬＣＰＵ９１には記憶手段であるメモリ９２が接続されている。このメモリ９２にはレンズ固有のデータ等が格納されており、ＬＣＰＵ９１を介して記憶データをカメラボディ１０内のＢＣＰＵ３１に送信可能である。
【００５２】
照明ユニット１００には、カメラボディ１０内のＢＣＰＵ３１と電気通信を行い、該ＢＣＰＵ３１の指示に従って照明ユニット１００の各部を制御するもので、点灯制御手段である照明制御回路（以下、ＦＣＰＵと記す）１１１を有している。このＦＣＰＵ１１１には、閃光発光駆動制御回路１１２と、ＬＥＤドライバ１１５及び１１９と、測色センサ処理回路１２４と、メモリ１２５が接続されている。
【００５３】
上記閃光発光駆動制御回路１１２は、キセノン（Ｘｅ）フラッシュである閃光発光素子１１３（図１、図２の閃光発光部１０１に相当）を駆動する。この閃光発光駆動制御回路１１２には、上述した閃光発光素子１１３、青色ＬＥＤの発光光を蛍光体に反射させて白色光を生成する１チップ型白色ＬＥＤ１１６（図１、図２の１チップ型白色ＬＥＤ１０２に相当）、青、緑、赤の３原色を混色することによって白色光を生成する３チップＬＥＤ１２０（図１、図２の３チップＬＥＤ１０３に相当）が接続されている。
【００５４】
ＬＥＤドライバ１１５は、白色ＬＥＤ１１６を駆動する。具体的には、白色ＬＥＤ１１６のオン、オフや、ＬＥＤチップの駆動電流を変更する構成になっている。ＬＥＤドライバ１１９は、３チップＬＥＤ１２０を駆動するもので、当該ＬＥＤの３チップそれぞれを独立に電流値設定可能となっている。
【００５５】
上記１チップ型白色ＬＥＤ１１６の近傍には測色センサ１１７が設けられており、１チップ型白色ＬＥＤ１１６の発光の色成分を検出可能としている。また、３チップＬＥＤ１２０の近傍には測色センサ１２１が設けられており、白色光を生成する３チップＬＥＤ１２０の合成色成分を検出可能としている。これら測色センサ１１７及び１２１の出カは、測色センサ処理回路１２４にてデジタル信号に変換され、ＦＣＰＵ１１１に出力される。このＬＥＤの測色出力により、各ＬＥＤの初期状態の色成分を、ＦＣＰＵ１１１は把握可能であり、またそのデータは通信接点Ｊ２を介してＢＣＰＵ３１にも伝達される。
【００５６】
メモリ１２５は記憶手段であり、上記各発光部（閃光発光素子１１３、１チップ型白色ＬＥＤ１１６、３チップＬＥＤ１２０）の、それぞれの複数の駆動状態に対応した色成分が記憶されている。ＦＣＰＵ１１１を経由して、且つ、通信接点Ｊ２を介してＢＣＰＵ３１にデータを送ることが可能となっている。
【００５７】
図４は、ｘｙ表示の色度図（ｘｙカラーチャート）である。
【００５８】
同図に於いて、周囲の実線Ｌ0 で示されるライン上は単色光を表している。曲線Ｌ1 は、黒体幅射で生じる色のラインを表している。例えば、本実施形態のキセノンフラッシュの発光は、５５００Ｋの黒体幅射とほぼ同等の色であり、図４にＸｅと示した場所で表現される。ポイントＰ0 は、１チップ型白色ＬＥＤ１１６及び３チップＬＥＤ１２０の白色の基準色であり、５２００Ｋの黒体幅射に相当する。但し、このポイントＰ0 は狙いの色であり、ＬＥＤの駆動条件や温度及びチップや蛍光体の固体差等により、このポイントからずれが生じる場合がある。
【００５９】
ポイントＰR は、３チップＬＥＤ１２０の中の赤色ＬＥＤの色を表している。同様にポイントＰG は３チップＬＥＤ１２０の緑色ＬＥＤの色、ポイントＰB は３チップＬＥＤの青色ＬＥＤの色を表している。３チップＬＥＤ１２０は、上記３つのＬＥＤの発光比率を変えることにより、図４に破線で示される三角形の内部の色を作ることができる。上記発光比率を変えるには、３チップＬＥＤ１２０の各チップの駆動電流の比率を変更すればよい。それらを適切に組み合わせることにより、ポイントＰO の色を作って白色とする。ポイントＰO ′は後述する光学ファインダに対応した白色を表している。
【００６０】
ポイントＰ1 は、１チップ型白色ＬＥＤ１１６の定格最大の駆動をした際の色を表している。このＬＥＤの場合は、色に駆動電流依存性があり、やや赤方向にずれている。これは、主に駆動電流による温度上昇で、ＬＥＤの発光及び蛍光体の特性が赤方向にずれることによる。
【００６１】
また、ポイントＰ2 は、３チップＬＥＤ１２０の各チップを全て定格最大で駆動をした場合を表している。青色ＬＥＤは他の色に比べて駆動電流で制約が大きい場合が多く、本実施形態もそのようになっているため、最大光量を得たい場合には色が白色からずれてしまうことになる。
【００６２】
次に、図５及び図６のフローチャートを参照して、第１の実施形態に於けるカメラの撮影時の動作について説明する。
【００６３】
本シーケンスに於いて、ステップＳ１は撮影待機状態である。この撮影待機状態は、ライブビューの場合とライブビューではない場合とがあり、それ以前の設定によって何れかの状態になっている。この撮影待機状態であって、ステップＳ２に於いて、カメラの撮影時に照明を使用する条件か否かが判定される。これは、カメラの撮影モードや、照明の低輝度自動点灯／強制オン／強制オフ等の設定、及び被写界の明るさ等によって判定される。
【００６４】
ここで、照明ユニット１００を作動させる条件であると判定された場合は、ステップＳ３に移行し、そうでない場合は後述するステップＳ１２に移行する。ステップＳ３では、現在の状態がライブビューモードであるか否かが判定される。その結果、ライブビューモードの場合はステップＳ４に移行し、そうでない場合はステップＳ１１に移行する。
【００６５】
ステップＳ４以降は、ライブビューの画像取り込みに連動してＬＥＤの点灯消灯制御をする処理である。
【００６６】
先ず、ライブビューモードのステップＳ４では、ＬＥＤが、白色１（色ポイントＰO に対応）の状態で点灯される。この白色１の状態は、明るさは少なく、ＬＥＤの消費電流も少ない状態、すなわち低輝度で、長時間点灯に適した第１の点灯状態である。ライブビューの際には、画像処理で、少ない明るさの画像であっても明るく表示させることが可能である。また、ライブビューの場合は、関連する回路の電カが大きくなるため、ライブビュー画像の積分のタイミングと同期した間欠点灯であり、且つ、駆動電流も少なくされている。
【００６７】
ステップＳ５では、撮像素子３８のライブビューの積分が開始される。次いで、ステップＳ６にて、適正な積分が行われて、撮像素子３８に於ける積分が停止される。そして、積分が停止されると、ステップＳ７に於いてＬＥＤが消灯される。その後、ステップＳ８にて、ライブビュー画像が読み出され、続くステップＳ９にてその画像データが処理されて表示用の画像が生成される。更に、ステップＳ１０にて、その画像がＬＣＤパネル４０に表示されて、１フレーム分の画像更新が終了する。
【００６８】
一方、上記ステップＳ３に於いて、ライブビューモードではないと判定されると、ステップＳ１１にて、白色２（色ポイントＰO ′に対応）に相当する状態で、ＬＥＤが連続点灯される。これは、光学ファインダを通して被写体を観察する場合は人間の目の感度が撮像素子より低いので、明るく点灯させる必要があるからである。そのため、ライブビューの場合よりも大きな電流で駆動される。また、ちらつき感が生じないように、連続点灯とされている。この状態が、上述した第１の点灯状態に対して高輝度で、短時間点灯に適して該第１の点灯状態とは色成分が異なる第２の点灯状態である。
【００６９】
ステップＳ１２では、スイッチの操作がなされているか否かが、ＢＣＰＵ３１が各スイッチの状態を検出することによって確認される。ここでスイッチの操作がないと判定された場合は上記ステップＳ２に移行し、操作があると判定された場合はステップＳ１３以降の処理動作に移行する。
【００７０】
ステップＳ１３では、操作されたスイッチがライブビュー切り替えスイッチ１３であるか否かが判定される。ここで、ライブビュー切り替えスイッチ１３である場合はステップＳ１６に移行し、そうでない場合はステップＳ１４に移行する。
【００７１】
ステップＳ１６では、現在の状態がライブビュー状態であるか否かが判定される。ここで、現在の状態がライブビュー状態でなはなく、ライブビュー切り替えスイッチ１３が操作された場合は、ステップＳ１７に移行する。このステップＳ１７では、カメラはクイックリターンミラー２１が上昇されて撮影光路より待避される。それと共に、撮像素子３８の前方に位置する、図示さないフォーカルプレーンシャッタを開放状態にして、リアルタイムで画像の取り込みが可能な状態にされる。そして、ステップＳ１８にて、画像関連の回路がライブビューに対応した作動状態に設定される。その後、上記ステップＳ１に移行する。
【００７２】
一方、上記ステップＳ１６に於いて、ライブビュー状態であってライブビュー切り替えスイッチ１３が操作された場合は、ステップＳ１９に移行して、関連回路のライブビュー状態での作動が停止される。そして、ステップＳ２０にて、撮影光路より待避されていたクイックリターンミラー２１が下降されると共に、それまで開放されていたフォーカルプレーンシャッタ（図示せず）が閉じられる。その後、上記ステップＳ１に移行する。
【００７３】
ステップＳ１４では、レリーズの操作がなされたか否かが判定される。ここで、レリーズ操作があった場合はステップＳ２１に移行し、操作がなかった場合にはステップＳ１５に移行する。
【００７４】
ステップＳ２１では、現在の状態がライブビュー状態であったか否かが判定される。ここで、ライブビューであった場合は、ステップＳ２２に移行して、回路系のライブビュー動作が停止され、ＬＥＤが消灯される。その後、ステップＳ２３に移行して、クイックリターンミラー２１が下降されて、図示されないフォーカルプレーンシャッタが閉じられる。また、上記ステップＳ２１にて、ライブビュー状態ではないと判定された場合は、ステップＳ２２及びＳ２３がスキップされる。
【００７５】
ステップＳ２４では、クイックリターンミラー２１のミラーアップが行われ、撮像素子３８が積分状態に設定されて、撮像素子３８の前方に位置する、図示されないフォーカルプレーンシャッタが作動されて撮像が実施される。そして、シャッタ開放に同期して閃光発光素子（キセノンフラッシュ）１１３が発光される。更に、撮像された画像が画像処理されて記録媒体に書き込まれる。その後、上記ステップＳ１に移行する。
【００７６】
ステップＳ１５では、ライブビュー切り替えスイッチ１３、レリーズスイッチ１２以外のスイッチ（その他のスイッチ）が操作されたか否かが判定される。ここで、スイッチが操作されていた場合は、ステップＳ２５に移行して、操作されたスイッチに対応した処理が実施される。例えば、十字釦１４が操作された場合は、メニューが開かれたり設定が変更されたりする。
【００７７】
上記ステップＳ２５の処理実行後、及びステップＳ１５でスイッチの操作がされなかった場合は、上記ステップＳ１に移行する。
【００７８】
図７は、本第１の実施形態に於ける３チップＬＥＤ１２０の駆動電流の例を示した図である。
【００７９】
３チップＬＥＤ１２０は、上述したように、Ｒ，Ｇ，Ｂの３チップによって構成されており、（ａ）、（ｂ）、（ｃ）は、その各チップの駆動電流を示している。
【００８０】
図７（ａ）に示される駆動条件では白色１の色を生成するが、この白色１の状態の色は図４に示されるポイントＰO に相当するものとなっている。同様に、図７（ｂ）に示される駆動条件では白色２の色を生成するが、この白色２の状態の色は、図４に示されるポイントＰ0 ′に相当するものとなっている。更に、図７（ｃ）に示される駆動条件ではフル発光状態であり、この状態の色は図４に示されるポイントＰ2 に相当するものとなっている。
【００８１】
上述したように、図７（ａ）の駆動状態はライブビューのために、少ない電流で、且つライブビュー画像の積分に同期して間欠発光する。図７（ｂ）の駆動状態は、光学ファインダに対応している。そのため、トータル電流は、図７（ａ）より多く、また色は、本実施形態の光学ファインダを通して見た照明光の色が、撮影画像の照明光の色と略同一の色になるように、色を若干シフトしている。また、肉眼で見るため、やや多めの電流値で照明する。
【００８２】
図８は、撮影待機時のＬＥＤの発光状態を説明するためのタイムチャートである。
【００８３】
図８（ａ）に示されるように、ライブビューの場合は２フレームに１回の割合で、ライブビュー画像の積分の直前より照明を開始し、積分終了直後に照明を停止している。
【００８４】
一方、図８（ｂ）に示されるように、ライブビューでない場合は、図８（ａ）のライブビュー時よりも強い光で、連続して照明する。
【００８５】
次に、図９を参照して、本第１の実施形態に於けるライブビューの画像の生成方法を説明する。本第１の実施形態では、隣接する照明ありと照明無しの２フレームの画像が使用されて、表示画像が生成される。
【００８６】
図９（ａ）は、カメラ側からの照明無しで取り込まれたライブビュー画像の例を示した図である。同図に於いては、壁照明灯１５１があり、人物１５２、１５３は逆光になっており、暗くつぶれている。この画像に於けるＡ−Ａ′線で示される部分の光強度をグラフで表すと、図９（ｂ）に示されるようになる。
【００８７】
図９（ｃ）は、カメラ側からの照明が当てられながら取り込まれたライブビュー画像の例を示した図である。カメラ側からの照明により暗い部分はやや明るく照明されている。しかしながら、照明光が定常光よりも弱く、また撮影時の照明よりも弱いため、明るさは十分ではない。この画像に於けるＡ−Ａ′線で示される部分の光強度をグラフで表すと、図９（ｄ）に示されるようになる。上述した図９（ｂ）に示されるグラフに対して、斜線で示される部分に光が追加されている。
【００８８】
図９（ｅ）は、上述した図９（ａ）、（ｃ）の画像を基に生成した、ライブビュー表示画像の例を示した図であり、図９（ｆ）は図９（ｅ）の画像に於けるＡ−Ａ′線で示される部分の光強度を示すグラフである。これは、ライブビュー時の照明と撮影時の照明の明るさの比率がＸの場合、  
（図９（ａ）の画像）−（図９（ｃ）の画像）＊Ｘ＋（図９（ａ）の画像）  
で表すことができる。
【００８９】
このように、照明あり、無しの２フレームの画像から、撮影時に生成される画像の予測をしてリアルタイムで表示することにより、撮影時の画像の事前確認を正確に行うことができる。また、ライブビュー時の照明の消費電力が少なくなっている。
【００９０】
図１０は、本第１の実施形態のライブビュー合成を説明するためのタイムチャートである。これを図９に対応させると、フレーム２の取り込み画像が図９（ａ）の画像に相当し、フレーム３の取り込み画像が図９（ｃ）の画像に相当する。
【００９１】
図９で説明したように、撮影時の照明状態を再現できる画像の表示は、照明ありと無しの２つのフレーム画像から生成されるので、図１０のフレーム１とフレーム２の画像から生成されたライブビュー表示画像が、フレーム３のタイミングで表示される。また、フレーム２とフレーム３の画像から生成されたライブビュー表示画像が、フレーム４のタイミングで表示される。
【００９２】
このように、１フレーム毎に合成するライブビュー画像の照明ありと照明無しの順番が入れ替わるが、このようにすることで、２フレーム毎に１回しか表示を更新しない場合に比べて、被写体の動きなどが滑らかに表示される。
【００９３】
次に、図１１のフローチャートを参照して、ライブビュー画像の色の補正について説明する。
【００９４】
図１１は、上述したライブビュー画像の色を、撮影画像の色に合わせる処理を含む、図５のフローチャートのステップＳ９のサブルーチン“ライブビュー表示画像生成”の詳細な処理動作について説明するためのフローチャートである。
【００９５】
撮影時は、本第１の実施形態の場合、ライブビュー時とは異なる色特性の照明、すなわちキセノンフラッシュの閃光発光で照明しており、ライブビュー時の照明の色ポイントＰO からキセノン（Ｘｅ）の色までずれている。このデータは、照明ユニット１００内のメモリ１２５に記憶されているので、カメラボディ１０のＢＣＰＵ３１では、このデータを基に画像の色の復元が実行される。また、メモリ１２５に記憶されている色は、後述するように、ＬＥＤの実際の発光色を時間経過に沿って複数測定、記憶したものであり、より正確な色の復元を可能にしている。
【００９６】
本サブルーチンに入ると、先ず、ステップＳ３１にて、ライブビュー画像のデータが撮像素子３８から読み出され、続くステップＳ３２にて、ＹＣ分離処理等が行われて、非圧縮の画像データが生成される。次に、ステップＳ３３に於いて、この生成された画像が、照明ありで撮影されたのか否かが判定される。ここで、照明ありの場合は、ステップＳ３４に移行して、隣接する前のフレームとの差分をみて照明光成分が抽出される。
【００９７】
次に、ステップＳ３５では、照明ユニット１００のメモリ１２５から読み出された、ライブビュー時と撮影時の照明の色ずれデータが取得されると共に、カメラボディ１０から照明ユニット１００に指示される予定の撮影時の照明光量と、ライブビュー時の照明光量との差が算出される。ステップＳ３６では、このデータを基に、画像処理回路３４にて、色のシフト処理と照明光量の撮影時相当の明るさ補正が実施される。
【００９８】
そして、ステップＳ３７にて照明光と定常光の赤示用画像データが合成されると、続くステップＳ３８にて撮影画像相当のライブビュー画像が、カメラボディ１０の背面のＬＣＤパネル４０表示される。その後、本サブルーチンを抜けて、図５のフローチャートのステップＳ１０に移行する。
【００９９】
一方、上記ステップＳ３３に於いて、上記ステップＳ３１及びＳ３２にて生成された画像が照明無しの画像と判定されると、色の復元処理は実施されずにステップＳ３８に移行し、当該画像がＬＣＤパネル４０に表示される。その後、本サブルーチンを抜けて、図５のフローチャートのステップＳ１０に移行する。
【０１００】
次に、図１２のフローチャートを参照して、３チップＬＥＤ１２０の撮影待機時の照明の色制御について説明する。
【０１０１】
３チップＬＥＤ１２０は、３色合成タイプのため、製造のばらつきや環境条件によって、生成される白色の色が定まり難い。このため、発光を開始してから停止するまで、発光色をモニタすることによってこれを考慮して、正しい撮影画像相当の色をライブビュー表示で再現する。
【０１０２】
本ルーチンに入ると、先ず、ステップＳ４１にて、ＦＣＰＵ１１１により、メモリ１２５から前回の撮影待機時の照明の各ＬＥＤの駆動電流が読み出される。次に、ステップＳ４２にて、その電流値でＬＥＤ１２０の各チップの駆動が開始される。そして、ステップＳ４３にて、測色センサ１２１によってＬＥＤ１２０の発光色が測定される。
【０１０３】
次いで、ステップＳ４４に於いて、カメラボディ１０からＬＥＤの消灯指示が受信されたか否かが判定される。その結果、消灯でない場合は上記ステップＳ４３に移行して、ＬＥＤ１２０のモニタが繰り返され、消灯の場合はステップＳ４７に移行する。
【０１０４】
上記ステップＳ４４で消灯指示がされた場合は、ステップＳ４５にてＬＥＤの駆動が停止される。そして、ステップＳ４８にて、照明中の、例えば平均的な色成分がメモリ１２５に書き込まれる。その後、本ルーチンが終了する。
【０１０５】
図１３は、図６のフローチャートのステップＳ２４のサブルーチン“撮影動作”に於けるキセノンフラッシュの発光制御の詳細な動作を説明するためのフローチャートである。
【０１０６】
本サブルーチンに入ると、先ず、ステップＳ５１にて、照明ユニット１００内のＦＣＰＵ１１１では、カメラボディ１０側からの通信による閃光発光素子（キセノンフラッシュ）１１３の発光量データが受信される。
【０１０７】
次に、ステップＳ５２にて、シャッタの開放タイミングに合わせて閃光発光素子１１３による発光が開始される。すると、続くステップＳ５３に於いて、発光量に対応した時間、発光が継続される。そして、上記受信した発光量に刻応した発光時間が経過すると、ステップＳ５４に移行して閃光発光素子１１３の発光が停止される。
【０１０８】
こうして、キセノンフラッシュを使用した撮影動作のサブルーチンが終了する。
【０１０９】
以上のように、第１の実施形態によれば、撮影待機時の、ライブビューが作動しているか、光学ファインダでの観察状態になっているかによって、照明装置であるＬＥＤの点灯の形態（間欠点灯か、連続点灯か）、発光色、発光の明るさを切り替えているため、少ない消費電力で最適な照明が可能である。また、撮影時はキセノンフラッシュを用いているので光量が十分にとれ、ライブビュー時のＬＥＤとは照明光の色成分が異なるが、それを補正してリアルタイムでライブビュー表示が可能であるので、撮影画像を正しくプレビューすることができる。
【０１１０】
また、ライブビューの場合、照明を１フレーム毎にオン、オフさせ、照明の成分を抽出して撮影時に予測される照明と定常光とのバランスを修正して表示しており、ライブビュー表示画像と撮影画像がよりよく一致し、且つ、照明光は撮影時より弱くてよいので、電力消費が少なく、長時間照明を使用してのライブビューも可能である。
【０１１１】
また、フレームの更新を１フレーム取得毎に、照明ありと無しの取得順番を入れ替えつつ更新しているので、２フレームに１回の更新よりも画像の動きが滑らかである。
【０１１２】
更に、ＬＥＤ照明の色成分を、ライブビューモニタの際にはモニタリングしてそれを記録していくため、途中でＬＥＤの色ずれが生じてもそれを検出して表示画像の色補正ができるため、ＬＥＤの駆動条件によらず、正しい撮影画像のプレビューが可能である。
【０１１３】
加えて、ライブビューと撮影画の色を合わせるにあたって、撮影画の色補正をしないでライブビュー側を補正するので、撮影後の処理時間が短くなり、連写に有利になる。
【０１１４】
（第２の実施形態）
次に、本発明の第２の実施形態について説明する。
【０１１５】
本第２の実施形態は、カメラシステムの構成は、上述した第１の実施形態と同様であるが、光学ファインダ使用時、及び撮影時には白色ＬＥＤ１１６を用いるところが異なっている。
【０１１６】
単一色のチップと蛍光体のリフレクタを有する白色ＬＥＤは、３色を合成して白色を生成するタイプに比べて制御による色の変動が小さく、高輝度、大型のものでも駆動回路を含めて小型、安価にすることができる。このため、より光量が必要な光学ファインダ使用時や、撮影時には、１チップ型白色ＬＥＤ１１６のようなタイプのＬＥＤの方が小型、安価になる。
【０１１７】
本第２の実施形態では、ライブビュー時は撮像素子の感度でカバーできるため、３チップＬＥＤ１２０を使用し、光学ファインダでの観察時と撮影時は１チップ型白色ＬＥＤ１１６を使用するようにしている。
【０１１８】
尚、以下に述べる第２の実施形態に於いては、カメラシステムの構成及び基本的な動作については、図１乃至図１３に示される第１の実施形態のカメラシステムの構成及び動作と同じであるので、これらの構成及び動作については、同一の部分には同一の参照番号を付して、その図示及び説明は省略するものとし、異なる動作についてのみ説明する。
【０１１９】
図１４及び図１５は、本発明の第２の実施形態に於けるカメラの撮影時の動作について説明するためのフローチャートである。
【０１２０】
尚、本フローチャートに於いて、撮影待機時のステップＳ６４、Ｓ７１等のＬＥＤ点灯制御に関する部分と、撮影時の動作のステップＳ８４〜Ｓ８６以外の、ステップＳ６１〜Ｓ６３、ステップＳ６５〜Ｓ７０、ステップＳ７２〜Ｓ８３及びステップＳ８７の処理動作は、上述した図５及び図６のフローチャートのステップＳ１〜Ｓ３、ステップＳ５〜Ｓ１０、ステップＳ１２〜Ｓ２３及びステップＳ２７と同様の動作であるので、対応するステップ番号を参照してここでの説明は省略する。
【０１２１】
本第２の実施形態のカメラシステムは、ステップＳ６３に於いてライブビューに移行する場合は、ステップＳ６４に移行して３チップＬＥＤ１２０を白色１（色がポイントＰO ）に相当する駆動電流で点灯される。一方、光学ファインダ使用時は、ステップＳ７１に移行して、１チップ型白色ＬＥＤ１１６が点灯される。このＬＥＤは、光学ファインダ使用時の駆動電流にて、ポイントＰ1 の色温度になるように製造されている。
【０１２２】
本実施形態の光学ファインダについては、上記白色ＬＥＤの照明に合わせるため、ガラス材の色が調整してあり、ポイントＰ1 の色で照明して肉眼で見た際に、ポイントＰO の色で照明したライブビュー画像と同等になっている。
【０１２３】
また、撮影時には、ステップＳ８４にて、１チップ型白色ＬＥＤ１１６が点灯される。この場合は、輝度を得るために大きな電流を流すが、このとき、光学ファインダ使用時の駆動電流よりも大きな電流のため、色成分が図４に示されるポイントＰ2 のレベルになる。
【０１２４】
こうして、ステップＳ８４でＬＥＤの撮影用点灯が開始されると、続くステップＳ８５にて撮影動作が行われる。更に、ステップＳ８６にて１チップ型白色ＬＥＤ１１６が消灯されると、その後ステップＳ６１に移行する。
【０１２５】
本実施形態の撮影時に於いては、照明中の色成分を、色センサ１１７で検出してメモリ１２５に記憶させる。これは、上述した第１の実施形態の図１２のフローチャートで説明した処理動作と同様である。
【０１２６】
本第２の実施形態では、色成分の制御はできないが、高輝度の白色を安価、容易な駆動方法で実現しやすい、青色ＬＥＤと蛍光体のリフレクタで構成されたＬＥＤで、高輝度が必要な光学ファインダ使用時及び撮影時の照明を実施しているので、システム全体を小型、安価に実現することができる。
【０１２７】
また、キセノンフラッシュのような閃光でないため、照明時間がながく、全開状態にならないフォーカルプレーンシャッタの高速シャッタであっても撮影が可能である。加えて、キセノンフラッシュの発光エネルギを蓄えるための大電力を消費しないですむ。
【０１２８】
尚、本第２の実施形態の変形例として、光学ファインダ使用時及び撮影時に、３色チップにより構成されたＬＥＤ１２０も併せて点灯させ、且つ、色成分を１チップ型白色ＬＥＤ１１６と併せて発光させることにより、光学ファインダ使用時と撮影時の照明の明るさを大きくすることもできる。
【０１２９】
上述した第１乃至第３の実施形態に於いて、カメラボディと照明ユニットは別体のものでなく、ビルトインフラッシュ及びＬＥＤ等の照明装置をカメラに備えていてもよい。また、レンズも着脱式でなくとも、カメラ一体型でもよい。更に、カメラボディと照明ユニットに別々にＣＰＵ等の制御回路を備えていなくてもよく、１つの演算制御回路がカメラ動作の制御及び照明制御を行うものであってもよい。
【０１３０】
閃光発光素子や連続発光素子は、それぞれ１つずつでなくともよく、複数個の組み合わせで構成してもよい。
【０１３１】
また、ライブビューについては、クイックリターンミラーを用いた一眼レフカメラでない場合、例えば、半透過の固定ミラーを使用する場合は、ミラーのアップダウンの動作は不要である。更に、一眼レフタイプのカメラでなくレンズシャッタタイプの力メラの場合もミラーのアップダウンは不要であるので、ライブビュー画像を表示している場合に、上述したライブビュー用の照明点灯をすればよい。
【０１３２】
加えて、ＬＥＤのような連続照明装置、または閃光発光装置の一部が別体で独立していてもよいし、照明装置が全てカメラから離れて設置されており、無線通信で連携して作動してもよい。
【０１３３】
また、隣接する２つのフレームより１つのライブビュー画像を生成する際、手振れ検出手段または画像パターンのずれを検知する画像ずれ検知手段の出力に基いて、取得時間差によりずれた量を補正して重ね合わせてライブビュー画像を表示するようにすれば、ライブビューの画像が手振れや被写体ぶれの影響で不鮮明になることを防止することができる。
【０１３４】
以上、本発明の実施形態について説明したが、本発明は上述した実施形態以外にも、本発明の要旨を逸脱しない範囲で種々の変形実施が可能である。
【０１３５】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１３６】
【図１】本発明の第１の実施形態に係るカメラシステムの外観を示すもので、（ａ）はカメラ前面側から見た斜視図、（ｂ）は背面側から見た斜視図である。
【図２】本発明の第１の実施形態に於けるカメラシステムの光学系を示す概念図である。
【図３】本発明の第１の実施形態に於けるカメラシステムの電気回路の概略構成を示すブロック図である。
【図４】ｘｙ表示の色度図（ｘｙカラーチャート）である。
【図５】本発明の第１の実施形態に於けるカメラの撮影時の動作について説明するためのフローチャートである。
【図６】本発明の第１の実施形態に於けるカメラの撮影時の動作について説明するためのフローチャートである。
【図７】本発明の第１の実施形態に於ける３チップＬＥＤ１２０の駆動電流の例を示した図である。
【図８】本発明の第１の実施形態に於ける撮影待機時のＬＥＤの発光状態を説明するためのタイムチャートである。
【図９】本発明の第１の実施形態に於けるライブビューの画像の生成方法を説明するための図である。
【図１０】本発明の第１の実施形態のライブビュー合成を説明するためのタイムチャートである。
【図１１】ライブビュー画像の色を、撮影画像の色に合わせる処理を含む、図５のフローチャートのステップＳ９のサブルーチン“ライブビュー表示画像生成”の詳細な処理動作について説明するためのフローチャートである。
【図１２】３チップＬＥＤ１２０の撮影待機時の照明の色制御について説明するためのフローチャートである。
【図１３】図６のフローチャートのステップＳ２４のサブルーチン“撮影動作”に於けるキセノンフラッシュの発光制御の詳細な動作を説明するためのフローチャートである。
【図１４】本発明の第２の実施形態に於けるカメラの撮影時の動作について説明するためのフローチャートである。
【図１５】本発明の第２の実施形態に於けるカメラの撮影時の動作について説明するためのフローチャートである。
【符号の説明】
【０１３７】
１０…カメラボディ、１１…電源スイッチ、１２…レリーズスイッチ、１３…ライブビュー切り替えスイッチ、１４…十字釦、１５、４０…ＬＣＤパネル、１７…接眼レンズ、１８…ホットシュー、２１…クイックリターンミラー、２２、３８…撮像素子、２３…ファインダスクリーン、２４…ペンタプリズム、２５…アイピース、２７、３２…測光素子、３１…ボディ用制御回路（ＢＣＰＵ）、３３…ミラー駆動回路、３４…画像処理回路、３５…記録媒体、３７…撮像素子ドライバ、３９…ＬＣＤドライバ、４２…各種スイッチ、４３、９２、１２５…メモリ、８０…レンズユニット、８１…撮影レンズ、９１…レンズ制御回路（ＬＣＰＵ）、１００…照明ユニット、１０１…閃光発光部、１０２、１１６…１チップ型白色ＬＥＤ、１０３、１２０…３チップＬＥＤ、１０５…照明ヘッド、１０６…照明装置本体、１０７…シュー、１１１…照明制御回路（ＦＣＰＵ）、１１２…閃光発光駆動制御回路、１１３…閃光発光素子、１１５、１１９…ＬＥＤドライバ、１１７、１２１…測色センサ、１２４…測色センサ処理回路、Ｊ１、Ｊ２…通信接点。
【図１】
2009284079.tif 000003
【図２】
2009284079.tif 000004
【図３】
2009284079.tif 000005
【図４】
2009284079.tif 000006
【図５】
2009284079.tif 000007
【図６】
2009284079.tif 000008
【図７】
2009284079.tif 000009
【図８】
2009284079.tif 000010
【図９】
2009284079.tif 000011
【図１０】
2009284079.tif 000012
【図１１】
2009284079.tif 000013
【図１２】
2009284079.tif 000014
【図１３】
2009284079.tif 000015
【図１４】
2009284079.tif 000016
【図１５】
2009284079.tif 000017